(57)【要約】【課題】構造が簡素で、製造コストが安価であり、自動的に水面に浮き出て迅速に使用することができる緊急用救命装置を提供する。【解決手段】緊急用救命装置は、水面に浮き出る浮体１と、浮体１に接続されたネット２とを備える。ネット２に予め設けた開口から浮体１を入れ、開口の左右両側に予め設けられている２つのロープ２１、２２を縛り、ネット２内に浮体１を縛る。ロープ又はバンド３は、一端及び他端に設けた掛止部３１によりネット２に掛止したり、ネット２から自在に取り外したりすることができる。これにより、緊急用救命装置は、ネット２とロープ又はバンド３とを組み合わせて形成した環部３０によりユーザの体に掛けて使用され、ユーザの体から外れることがなく、ユーザを確実に救助することができる。【選択図】図４
0003170611.tif 000002
【実用新案登録請求の範囲】
【請求項１】
水面に浮き出る浮体と、
前記浮体に接続され、開口を有するネットと、
を備え、
前記浮体は、前記ネットの前記開口から前記ネット内に入れられ、前記開口の左右両側に設けられている２つのロープにより前記ネット内に縛られることを特徴とする緊急用救命装置。
【請求項２】
前記ネットと組み合わせるロープ又はバンドを備え、
前記ロープ又はバンドは、一端及び他端に前記ネットに掛止する掛止部を有し、前記ネットから取り外すことが可能であり、
前記ネットと前記ロープ又はバンドとを組み合わせて形成した環部をユーザの体に掛けることを特徴とする請求項１に記載の緊急用救命装置。
【請求項３】
前記浮体及び前記ネットを収納する収納箱を備え、
前記収納箱は、上に設けられた可動蓋と、壁部に設けられた複数の穴とを有し、
水または水以外の流体が前記穴から前記収納箱内に流入したとき、前記可動蓋が上に押し上げられて開き、前記浮体及び前記ネットは水面に浮き上がることを特徴とする請求項１に記載の緊急用救命装置。
【請求項４】
前記浮体又は前記ネットは、発光物又は光反射片が設けられ、または、発光物質を含む材料により形成されることを特徴とする請求項１に記載の緊急用救命装置。
【請求項５】
前記浮体は、発泡スチロール材料又は水分を吸収しにくい材料で形成された物、又はスポーツ用ボールに空気を入れた物であることを特徴とする請求項１に記載の緊急用救命装置。
【考案の詳細な説明】
【技術分野】
【０００１】
本考案は、緊急用救命装置に関する。
【背景技術】
【０００２】
緊急用救命装置は、その名称の如く、通常使用しないときは収納しておき、一旦、緊急事態が発生したときに、自動的に水面に浮き上がって緊急用救命ツールとして人々を救助するために用いられる。例えば、２０１１年３月１１日に、日本史上最大の地震である東北地方太平洋沖地震では、映画「デイ  アフター  トゥモロー」で描写されたように、地震によって引き起こされた数十メートルの高さの津波により、電車が瞬く間に流されたり、百人以上を乗せた船が大波に飲み込まれたりし、死者および行方不明者が数万人以上に達した上、多くの負傷者が発生して非常に多くの家屋が破壊された。この地震により引き起こされた津波は、宮城県、岩手県、福島県などでは、高さが数十メートルに達する。太平洋を挟んで日本と反対側にある米国の西海岸一帯でも津波の高さが１〜２．４メートルに達し、少なくとも１名の男性が津波に巻き込まれて死亡している。このように、津波は前触れ無しに発生するため、人類の生命および財産にとって大きな脅威となっている。
【考案の概要】
【考案が解決しようとする課題】
【０００３】
本考案は、今回の日本における地震が引き起こした津波により、死者および行方不明者が多数発生したことに鑑み、特に、沿岸地域に住んでいる人々が突然襲ってきた津波に対して救命装置が準備されておらず、多数の死者および行方不明者が発生したことに鑑みて創作されたものである。
【０００４】
本考案の第１目的は、構造が簡素で、製造コストが安価であり、自動的に水面に浮き出て使用することができる緊急用救命装置を提供することにある。
【０００５】
本考案の第２目的は、救命装置自身の安全性及び機能を維持することができ、屋外の所定の場所や公共施設などに多数設置しても建物又は景観に悪影響を与えず、広く普及することができ、水害が発生したときに水面に自動的に浮き上がって人々の生命を守ることができる緊急用救命装置を提供することにある。
【０００６】
本考案の第３目的は、浮体の表面に設けた発光物又は光反射片により、水面に浮き上がったときにその位置を周りの者に知らせ、迅速に人々を避難させることができる緊急用救命装置を提供することにある。
【課題を解決するための手段】
【０００７】
上記目的を達成するため、本考案による緊急用救命装置は、水面に浮き出る浮体と、浮体に接続されたネットとを備える。浮体は、ネットの開口からネットに入れられ、開口の左右両側に予め設けられている２つのロープによりネット内に縛られる。
【０００８】
緊急用救命装置は、ネットと組み合わせて使用するロープ又はバンドを備えることが好ましい。ロープ又はバンドは、一端及び他端にネットに掛止する掛止部を有し、ネットから取り外すことが可能である。緊急用救命装置は、ネットとロープ又はバンドとを組み合わせて形成した環部によりユーザの体に掛けられる。これにより、緊急用救命装置は、ユーザの体から外れることがなく、ユーザを確実に救助することができる。
【０００９】
緊急用救命装置は、浮体及びネットを収納する収納箱を備えることが好ましい。これにより、浮体及びネットは、収納箱内により完全に覆われ、新しい状態に維持されることができる。緊急用救命装置は、壁際又は屋外に設置されたり砂地に埋設されたりすることにより、景観に悪影響を与えずに広く普及することができる。収納箱は、上に設けられた可動蓋と、壁部に設けられた複数の穴とを有する。水または水以外の流体が穴から収納箱内に流入したとき、可動蓋は上に押し上げられて開き、浮体及びネットは水面に自動的に浮き上がり、人々が迅速に避難することが可能となる。
【００１０】
浮体又はネットは、発光物又は光反射片が上に設けられ、またはネットの材料中に発光物質を浸透させることが好ましい。これにより、発光物の発光作用又は光反射片の光反射作用により周囲の人にその位置を知らせ、人々を迅速に避難させることができる。
【００１１】
浮体は、発泡スチロール材料又は軽量で水分を吸収しにくい材料で形成された物、又はスポーツ用ボールなどに空気を入れた物であることが好ましい。
【図面の簡単な説明】
【００１２】
【図１】本考案の第１実施形態による緊急用救命装置を示す分解斜視図である。
【図２】本考案の第１実施形態による緊急用救命装置を示す斜視図である。
【図３】本考案の第１実施形態による緊急用救命装置のロープを縛った後の状態を示す模式図である。
【図４】本考案の第２実施形態による緊急用救命装置を示す斜視図である。
【図５】本考案の第３実施形態による緊急用救命装置を示す模式図である。
【考案を実施するための形態】
【００１３】
以下、本考案による緊急用救命装置を図面に基づいて説明する。なお、これによって本考案が限定されるものではない。
【００１４】
（第１実施形態）
図１〜図３を参照する。図１〜図３に示すように、本考案の第１実施形態による緊急用救命装置は、少なくとも水面に浮き出る浮体１と、浮体１と接続されたネット２と、から構成される。浮体１は、２つの丸いボールであってもよい。ネット２に予め設けた開口２０から浮体１を入れ、開口２０の左右両側に予め設けられている２つのロープ２１、２２を縛り、ネット２内に浮体１を縛る。これにより、構造が簡素で、製造コストが安価であり、自動的に水面に浮き出てきて使用され、人々の避難に用いられることができる緊急用救命装置を構成する。実際に使用するとき、ネット２により２つ以上の球体を互いに接続して浮体が構成されているため、浮力を有効に向上させるとともに、ユーザが捕まえやすくなる（特に、片手だけでも捕まえて使用することが容易である）。即ち、本実施形態による緊急用救命装置は、使用しやすく、捕まえやすい。
【００１５】
（第２実施形態）
図４を参照する。図４に示すように、本考案の第２実施形態による緊急用救命装置は、さらにロープ又はバンド３を備え、ネット２とロープ又はバンド３とを組み合わせて形成した環部３０により体に掛けて使用することができる。つまり、第２実施形態による緊急用救命装置は、環部３０を利用することにより、体から緊急用救命装置が外れることを防ぎ、ユーザを確実に救助する機能を有する。ロープ又はバンド３は、一端及び他端に設けた掛止部３１によりネット２に掛止したり、ネット２から自在に外したりすることができるため、便利に使用することができる。
【００１６】
（第３実施形態）
図５を参照する。図５に示すように、本考案の第３実施形態による緊急用救命装置は、収納箱４を組み合わせて使用してもよい。収納箱４のサイズは、緊急用救命装置を完全に覆うことができるように、緊急用救命装置に対応した大きさであることが望ましい。これにより、緊急用救命装置を新しい状態に維持するとともに、緊急用救命装置を壁際、屋外、海水浴場の所定の箇所などに設置したり、砂地に埋設したりすることができるため、景観に悪影響を与えない。そのため、緊急用救命装置を広く普及させることができる。収納箱４は、可動蓋４０と、壁部に設けられた穴４１を有する。海水または海水以外の流体が穴４１から収納箱４内に流入したとき、緊急用救命装置により可動蓋４０が上に押し上げられて開き、水面に緊急用救命装置が自動的に浮き上がる。
【００１７】
上述の水面に浮き出ることができる浮体１は、ボールなどの物又は気体を充填する物品である。また、発泡スチロールの材料で一体成形され、または軽量で水分を吸収しにくい材料で一体成形され、水面に漂いやすい形状を有し、ロープ又はバンド３と接続して緊急用救命装置を構成してもよい。また、浮体１又はネット２上には、発光物又は光反射片５を設置してもよい。また、発光物又は光反射片５を浮体１又はネット２上に配置したり、ネット２の材料中に発光物質を浸透させたりして発光機能を得てもよい。これにより、発光物又は光反射片５の発光作用又は光反射作用により、緊急用救命装置のある場所を迅速に人々に知らせることができる。
【００１８】
上述したことから分かるように、本考案による緊急用救命装置は、水面に浮かぶ浮体と、浮体と接続されたネットとから構成され、構造が簡素で、製造コストが安価であり、自動的に水面に浮き出て迅速に使用することができる。さらに、水面に自動的に浮かんだ際に捕まえ易いため、救命装置を迅速に使用し、使用後、回収して再利用することができる。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１  ・・・浮体
２  ・・・ネット
２０・・・開口
２１・・・ロープ
２２・・・ロープ
３  ・・・ロープ又はバンド
３０・・・環部
３１・・・掛止部
４  ・・・収納箱
４０・・・可動蓋
４１・・・穴
５  ・・・発光物又は光反射片
【図１】
0003170611.tif 000003
【図２】
0003170611.tif 000004
【図３】
0003170611.tif 000005
【図４】
0003170611.tif 000006
【図５】
0003170611.tif 000007